(57)【特許請求の範囲】
【請求項１】
食器洗浄乾燥機の前面側に配設され、本体ケースの一部を構成するドア本体と、
前記本体ケースに収納される洗浄槽であって、前後にスライド可能で、前記ドア本体を手前側に引くことにより、前記本体ケースから手前側に引き出され、その状態で食器の出し入れが行われるように構成されている洗浄槽と、
外部から食器洗浄乾燥機に水または湯を供給するための供給ラインが接続される一次側接続部から、前記洗浄槽に水または湯を給水するための経路に取り付けられる、湯または水の逆流を防止するための給水逆流防止弁であって、前記洗浄槽の外周側の、前記ドア本体を手前側に引くことにより、前記本体ケースから引き出される領域の底面側に配設されている給水逆流防止弁と
を備え、
キャビネット上に載置された状態で据え付け施工されること
を特徴とする食器洗浄乾燥機。
【請求項２】
食器洗浄乾燥機の前面側に配設され、本体ケースの一部を構成するドア本体と、
前記本体ケースに収納される洗浄槽であって、前後にスライド可能で、前記ドア本体を手前側に引くことにより、前記本体ケースから手前側に引き出され、その状態で食器の出し入れが行われるように構成されている洗浄槽と、
外部から食器洗浄乾燥機に水または湯を供給するための供給ラインが接続される一次側接続部から、前記洗浄槽に水または湯を給水するための経路に取り付けられる、湯または水の逆流を防止するための給水逆流防止弁であって、前記洗浄槽の外周側の、前記ドア本体を手前側に引くことにより、前記本体ケースから引き出される領域の側面側と底面側の間の位置に配設されている給水逆流防止弁と
を備え、
キャビネット上に載置された状態で据え付け施工されること
を特徴とする食器洗浄乾燥機。
【発明の詳細な説明】
【技術分野】
【０００１】
本願発明は、食器洗浄乾燥機に関し、詳しくは、洗浄槽と、洗浄槽が収納される本体ケースと、外部から食器洗浄乾燥機に水または湯を供給するための供給ラインが接続される一次側接続部から、洗浄槽に水または湯を給水するための経路に取り付けられる、湯または水の逆流を防止するための給水逆流防止弁とを備えた食器洗浄乾燥機に関する。
【背景技術】
【０００２】
図７に示すように、従来の食器洗浄乾燥機５０には、洗浄すべき食器を入れる洗浄槽５１と、洗浄槽５１が収納される本体ケース５２と、外部から食器洗浄乾燥機５０に水または湯を供給するための水（湯）管５３が接続される一次側接続部（例えば給水（給湯）電磁弁）５４と、給水（給湯）電磁弁５４から洗浄槽５１に水または湯を給水するための給水路５５と、湯または水の逆流を防止するために給水路５５に配設された給水逆流防止弁５６などを備えた構造を有するものがある。そして、このような食器洗浄乾燥機においては、給水（給湯）電磁弁５４の電源の入・切の制御で、洗浄槽５１への給水を行い、給水逆流防止弁５６により、水（湯）管への逆流を防止している。
【０００３】
しかしながら、従来の食器洗浄乾燥機においては、給水逆流防止弁５６が洗浄槽５１の背面側に配設されているため、給水逆流防止弁の保守、点検や、交換などを行おうとすると、食器洗浄乾燥機を据え付け場所、例えばキッチンカウンターの下部スペースから取り出して作業することが必要になるため、作業が繁雑になり、手間がかかるという問題点がある。
【発明の開示】
【発明が解決しようとする課題】
【０００４】
本願発明は、上記課題を解決するものであり、キャビネット上に載置された状態で据え付け施工される食器洗浄乾燥機であって、給水逆流防止弁の保守、点検や交換などのメンテナンスを容易に行うことが可能で、メンテナンス作業を簡略化し、メンテナンスコストを低減することが可能な食器洗浄乾燥機を提供することを目的とする。
【課題を解決するための手段】
【０００５】
上記課題を解決するために、本願発明（請求項１）の食器洗浄乾燥機は、
食器洗浄乾燥機の前面側に配設され、本体ケースの一部を構成するドア本体と、
前記本体ケースに収納される洗浄槽であって、前後にスライド可能で、前記ドア本体を手前側に引くことにより、前記本体ケースから手前側に引き出され、その状態で食器の出し入れが行われるように構成されている洗浄槽と、
前記洗浄槽が収納される本体ケースと、
外部から食器洗浄乾燥機に水または湯を供給するための供給ラインが接続される一次側接続部から、前記洗浄槽に水または湯を給水するための経路に取り付けられる、湯または水の逆流を防止するための給水逆流防止弁であって、前記洗浄槽の外周側の、前記ドア本体を手前側に引くことにより、前記本体ケースから引き出される領域の底面側に配設されている給水逆流防止弁と
を備え、
キャビネット上に載置された状態で据え付け施工されること
を特徴としている。
【０００６】
また、本願発明（請求項２）の食器洗浄乾燥機は、
食器洗浄乾燥機の前面側に配設され、本体ケースの一部を構成するドア本体と、
前記本体ケースに収納される洗浄槽であって、前後にスライド可能で、前記ドア本体を手前側に引くことにより、前記本体ケースから手前側に引き出され、その状態で食器の出し入れが行われるように構成されている洗浄槽と、
外部から食器洗浄乾燥機に水または湯を供給するための供給ラインが接続される一次側接続部から、前記洗浄槽に水または湯を給水するための経路に取り付けられる、湯または水の逆流を防止するための給水逆流防止弁であって、前記洗浄槽の外周側の、前記ドア本体を手前側に引くことにより、前記本体ケースから引き出される領域の側面側と底面側の間の位置に配設されている給水逆流防止弁と
を備え、
キャビネット上に載置された状態で据え付け施工されること
を特徴としている。
【発明の効果】
【０００７】
本願発明（請求項１）の食器洗浄乾燥機は、食器洗浄乾燥機の前面側に配設され、本体ケースの一部を構成するドア本体と、本体ケースに収納される洗浄槽であって、前後にスライド可能で、ドア本体を手前側に引くことにより、本体ケースから手前側に引き出され、その状態で食器の出し入れが行われるように構成されている洗浄槽と、外部から食器洗浄乾燥機に水または湯を供給するための供給ラインが接続される一次側接続部から、前記洗浄槽に水または湯を給水するための経路に取り付けられる、湯または水の逆流を防止するための給水逆流防止弁であって、洗浄槽の外周側の、ドア本体を手前側に引くことにより、本体ケースから引き出される領域の底面側に配設されている給水逆流防止弁とを備えているので、給水逆流防止弁の保守、点検や交換などのメンテナンスを、食器洗浄乾燥機を、移動させることなしに、容易に行うことが可能になり、メンテナンス作業を簡略化することが可能になるとともに、メンテナンスコストを低減することが可能になる。
【０００８】
なお、洗浄槽が、前後にスライド可能で、ドア本体を手前側に引くことにより、洗浄槽が手前側に引き出され、その状態で食器の出し入れが行われるように構成され、給水逆流防止弁が、洗浄槽の外周側の、ドア本体を手前側に引くことにより、本体ケースから引き出される領域に配設されているので、ドア本体を手前側に引いて、洗浄槽を手前側に引き出すだけで、据え付け施工された食器洗浄乾燥機を移動させることなく、給水逆流防止弁の保守・点検、交換を行うことができるようになり、メンテナンス作業を簡略化することが可能になるとともに、メンテナンスコストを低減することが可能になる。
【０００９】
また、給水逆流防止弁を、洗浄槽の外周側の、ドア本体を手前側に引き出すことにより本体ケースから引き出される領域の底面側に配設するようにしているので、洗浄槽を手前側に引き出すだけで、据え付け施工された食器洗浄乾燥機を移動させることなく、洗浄槽の底面側から、給水逆流防止弁の保守・点検、交換を容易に行うことができるようになり、メンテナンス作業を簡略化することが可能になるとともに、メンテナンスコストを低減することが可能になる。
【００１０】
また、本発明の食器洗浄乾燥機は、キャビネット上に載置された状態で据え付け施工されるものであることから、キャビネットの高さ分だけ、洗浄槽の下側にスペースを確保できることから、特に、給水逆流防止弁が、洗浄槽の外周側の底面側に配設されている場合や、側面側と底面側の間の位置に配設されている場合などにも効率よく、給水逆流防止弁の保守・点検、交換などを容易に行うことが可能になり、本願発明をより実効あらしめることが可能になる。
【００１１】
また、請求項２の食器洗浄乾燥機は、給水逆流防止弁を、洗浄槽の外周側の、ドア本体を手前側に引くことにより、本体ケースから引き出される領域の側面側と底面側の間の位置に配設するようにしているので、洗浄槽を手前側に引き出すだけで、据え付け施工された食器洗浄乾燥機を移動させることなく、洗浄槽の側面側と底面側の間の位置から、給水逆流防止弁の保守・点検、交換を容易に行うことができるようになり、メンテナンス作業を簡略化することが可能になるとともに、メンテナンスコストを低減することが可能になる。
【発明を実施するための最良の形態】
【００１２】
以下に本願発明の実施例を示して、本願発明の特徴とするところをさらに詳しく説明する。
【実施例１】
【００１３】
図１は本願発明の一実施例にかかる食器洗浄乾燥機の構成を模式的に示す側面断面図、図２は正面図である。
【００１４】
この実施例の食器洗浄乾燥機１０は、図１および２に示すように、洗浄すべき食器を入れる洗浄槽１と、洗浄槽１が収納される本体ケース２と、外部から食器洗浄乾燥機１０に水または湯を供給するための給水ラインである水（湯）管３が接続される一次側接続部（例えば給水（給湯）電磁弁）４と、給水（給湯）電磁弁４から洗浄槽１に水または湯を給水するための経路である給水路５と、給水路５に配設され、湯または水の逆流を防止する機能を果たす給水逆流防止弁６を備えている。
【００１５】
また、この食器洗浄乾燥機１０は、図１に示すように、キャビネット１２上に載置された状態でキッチンカウンター１３の下側に据え付けられて使用されるように構成されている。
【００１６】
また、この実施例１の食器洗浄乾燥機１０は、いわゆるスライドドア式の食器洗浄乾燥機であり、図３に示すように、洗浄槽１が、前後にスライド可能で、ドア本体１１を手前側に引くことにより、洗浄槽１が手前側に引き出され、その状態で食器の出し入れが行われるように構成されている。
【００１７】
そして、この食器洗浄乾燥機１０においては、湯または水の逆流を防止する機能を果たす給水逆流防止弁６が、食器洗浄乾燥機１０の前面側に配設され、本体ケース２の一部を構成するドア本体１１と、ドア本体１１の内側に位置する洗浄槽１の間に配設されている。
【００１８】
なお、この実施例１では、給水路５に配設される給水逆流防止弁６として、例えば、図４(ａ)，(ｂ)に示すように、シリコンゴムからなり、先端にスリット２１を備え、外部から力が掛からない場合にはスリット２１が閉じた状態にあり、給水路５を経て洗浄槽１（図１）への給水を行う際には、スリット２１が配設された部分の近傍が弾性変形してスリット２１が開いた状態となって、湯または水が弁体２２のスリット２１を通過して洗浄槽１への給水が行われ、湯または水が逆流しようとすると、弁体２２のスリット２１が閉じた状態に復帰して、湯または水の逆流が阻止されるように構成されたものが用いられている。なお、図４(ａ)，(ｂ)に示した給水逆流防止弁６において、鍔状部分２３は、給水逆流防止弁６を、袋ナットを用いて配設する場合のパッキンとして機能するとともに固定部（位置決め部）としても機能するように構成された部分である。
【００１９】
ただし、給水逆流防止弁の構成に特別の制約はなく、特に図示しないが、内部に弁座が配設された筒状の弁本体に弁体を配設し、湯または水が逆流しようとした場合に、弁体が弁座に密着して湯または水の逆流を防止するように構成されたものなど、公知の種々の構成のものを用いることが可能である。
【００２０】
このように構成された食器洗浄乾燥機１０においては、食器洗浄乾燥機１０を例えばキッチンカウンター１３の下側に据え付け施工した状態のまま、ドア本体１１を構成する前面パネル部分１１ａのみを取り外すだけで、容易に給水逆流防止弁６の保守、点検や交換などのメンテナンスを行うことができる。その結果、メンテナンス作業を簡略化して、メンテナンスのコストを低減することが可能になる。
【００２１】
なお、この実施例１では、洗浄槽１が、前後にスライド可能で、ドア本体１１を手前側に引くことにより、洗浄槽１が手前側に引き出され、その状態で食器の出し入れが行われるように構成されているスライドドア式の食器洗浄乾燥機１０を例にとって説明したが、この実施例１の場合のように、給水逆流防止弁６を、本体ケース２の一部を構成するドア本体１１と、ドア本体１１の内側に位置する洗浄槽１の間に配設するようにした構成は、フロントドア式の食器洗浄乾燥機、すなわち、前面のドアを開けて、食器がセット（収納）されるかごを引き出し、洗浄すべき食器をかごにセットした後、ドアを閉めて食器の洗浄を行うようにした食器洗浄乾燥機にも適用することが可能である。
【実施例２】
【００２２】
図５および図６は、本願発明の他の実施例にかかる食器洗浄乾燥機の構成を模式的に示す側面断面図であり、図５は洗浄槽を引き出す前の状態を示す図、図６は洗浄槽を引き出した状態を示す図である。なお、この実施例２の食器洗浄乾燥機も、基本構成は上記実施例１の食器洗浄乾燥機と同様であるが、その構成を理解しやすくするため、図５および６では、上記実施例１の場合よりもさらに模式化して食器洗浄乾燥機の構成を示している。
なお、図５および図６において、図１および２と同一符号を付した部分は、同一または相当する部分を示している。
【００２３】
この実施例２の食器洗浄乾燥機も、図５および６に示すように、上述の実施例１の場合と同様、洗浄槽１が、前後にスライド可能で、ドア本体１１を手前側に引くことにより、洗浄槽１が手前側に引き出され、その状態で食器の出し入れが行われるように構成された、いわゆるスライドドア式の食器洗浄乾燥機であり、キャビネット１２上に載置された状態でキッチンカウンター１３の下側に配設されるように構成されている。
【００２４】
そして、この実施例２の食器洗浄乾燥機においては、図５に示すように、湯または水の逆流を防止する機能を果たす給水逆流防止弁６が、洗浄槽１の外周側の、ドア本体１１を手前側に引くことにより、本体ケース２から引き出される領域２０の、底面側に配設されている。
【００２５】
この実施例２の食器洗浄乾燥機１０の場合、図５に示すように、給水逆流防止弁６が、洗浄槽１の底面側に配設されているが、図６に示すように、給水逆流防止弁６が配設されている領域２０はドア本体１１を手前側に引くことにより、本体ケース２から引き出される部分であり、給水逆流防止弁６の保守・点検、交換を行う場合には、ドア本体１１を手前側に引いて、洗浄槽１を手前側に引き出すだけで、据え付け施工された状態のまま、食器洗浄乾燥機１０を移動させることなく、領域２０に配設された給水逆流防止弁６を調べることが可能になり、容易に給水逆流防止弁６の保守・点検、交換を行うことができる。
【００２６】
また、この実施例２の食器洗浄乾燥機１０では、給水逆流防止弁６が、洗浄槽１の底面側に配設されているが、この実施例２の食器洗浄乾燥機１０はキャビネット１２上に載置された状態で据え付け施工されており、少なくともキャビネット１２の高さ分だけ、洗浄槽１の下側にスペースが確保されることから、ドア本体１１を手前側に引いて、洗浄槽１を手前側に引き出した状態で、底面側から給水逆流防止弁６に容易にアクセスすることが可能で、給水逆流防止弁６の保守・点検、交換を効率よく行うことができる。
【００２７】
なお、この実施例２では、給水逆流防止弁６を洗浄槽１の底面側に配設した場合を例にとって説明したが、給水逆流防止弁６を洗浄槽１の外周側の、ドア本体１１を手前側に引くことにより、本体ケースから引き出される領域の側面側または側面側と底面側の間の位置に配設することも可能であり、その場合にも、給水逆流防止弁６を、洗浄槽１の底面側に配設するようにした場合と同様に、ドア本体１１を手前側に引いて、洗浄槽１を手前側に引き出すだけで、据え付け施工された食器洗浄乾燥機１０を移動させることなく、給水逆流防止弁６にアクセスすることが可能で、容易に給水逆流防止弁６の保守・点検、交換を行うことができる。
【００２８】
なお、本願発明は、上記実施例１および２に限定されるものではなく、食器洗浄乾燥機全体の具体的な構成、本体ケースや洗浄槽の具体的な構成や形状、給水ラインの配設態様、給水逆流防止弁のタイプや具体的な配設態様などに関し、発明の範囲内において、種々の応用、変形を加えることが可能である。
【産業上の利用可能性】
【００２９】
上述のように、本願発明によれば、前記洗浄槽に水または湯を給水するための経路に取り付けられる、湯または水の逆流を防止するための給水逆流防止弁の保守・点検、交換を、据え付け施工された食器洗浄乾燥機を移動させることなく、効率よく行うことが可能になる。
したがって、本願発明は、給水逆流防止弁を備えた食器洗浄乾燥機に、広く適用することが可能である。
【図面の簡単な説明】
【００３０】
【図１】本願発明の一実施例（実施例１）にかかる食器洗浄乾燥機の構成を模式的に示す側面断面図である。
【図２】本願発明の一実施例（実施例１）にかかる食器洗浄乾燥機の構成を示す正面図である。
【図３】本願発明の一実施例（実施例１）にかかる食器洗浄乾燥機の洗浄槽を引き出した状態を示す図である。
【図４】本願発明の一実施例（実施例１）にかかる食器洗浄乾燥機において用いられている給水逆流防止弁を示す図であり、(ａ)は正面図、(ｂ)は側面断面図である。
【図５】本願発明の他の実施例（実施例２）にかかる食器洗浄乾燥機の構成を示す側面断面図であって、洗浄槽を引き出す前の状態を示す図である。
【図６】本願発明の他の実施例（実施例２）にかかる食器洗浄乾燥機の構成を示す側面断面図であって、洗浄槽を引き出した状態を示す図である。
【図７】給水逆流防止弁が洗浄槽の背面側に配設された、従来の食器洗浄乾燥機の構成を示す図である。
【符号の説明】
【００３１】
１        洗浄槽
２        本体ケース
３        水（湯）管
４        一次側接続部（給水（給湯）電磁弁）
５        給水路
６        給水逆流防止弁
１０      食器洗浄乾燥機
１１      ドア本体
１１ａ    前面パネル部分
１２      キャビネット
１３      キッチンカウンター
２０      領域
２１      スリット
２２      弁体
２３      鍔状部分
【図１】
0004783630.tif 000002
【図２】
0004783630.tif 000003
【図３】
0004783630.tif 000004
【図４】
0004783630.tif 000005
【図５】
0004783630.tif 000006
【図６】
0004783630.tif 000007
【図７】
0004783630.tif 000008